(57)【要約】  【課題】組立容器を容易、且つ迅速に組立てられるようにする。  【解決手段】側板Ａ１,Ａ２の両端部に形成されたスリット部４と、前記側板Ｂ１，Ｂ２の両端部に形成された突起部５とから構成され、前記スリット部４に対して突起部５を嵌合させることにより側板Ａ１,Ａ２と側板Ｂ１,Ｂ２同士を連結する。  【選択図】図１
0003125637.tif 000002
【実用新案登録請求の範囲】
【請求項１】
少なくとも、方形の底板と、当該底板の一辺毎に一枚ずつ連結される側板とで構成される組立容器であり、
前記各側板には、前記底板が嵌合する嵌合溝が形成され、且つ前記底板の対向する二辺に連結される側板の両端部と、他の二辺に連結される側板の両端部とに亘って、側板と側板同士を連結する連結部が構成され、前記嵌合溝に底板を嵌合するとともに、側板同士を前記連結部により連結してなるものであって、
前記連結部は、前記底板の対向する二辺に連結される側板の両端部に形成されたスリット部と、他の二辺に連結される側板の両端部に形成された突起部とから構成され、前記スリット部に対して突起部を嵌合させることにより側板同士を連結する構造とし、
前記スリット部を、奥側端部を略円形状に形成した嵌合空間部とする一方、当該嵌合空間部の縁部から側板の端部までを、この嵌合空間部の径よりも幅狭とするスライド空間部として形成し、前記突起部を、先端部を前記嵌合空間部の径よりも大幅とする掛止面部とする一方、当該掛止面部の縁部から側板の端部までを、前記嵌合空間部の径と略同等幅とする嵌合面部として形成してなることを特徴とする組立容器。
【考案の詳細な説明】
【技術分野】
【０００１】
本考案は、組立容器に関し、詳しくは、例えば、菓子用容器や各種折り詰め用容器、あるいは、その他の収容物を収容する容器の組立てを容易、且つ迅速に行うのに好適な組立容器に関する。
【背景技術】
【０００２】
菓子用容器や各種折り詰め用容器、あるいは、その他の収容物を収容する組立て容器は、底板を側板に形成された溝に嵌合し、前記側板同士を、ありほぞ構造やわたりあご構造、あるいは接着剤や連結具等を用いて適宜連結する構造が周知である。
【考案の開示】
【考案が解決しようとする課題】
【０００３】
ところで、前記容器の組立構造については、人件費や組立時間の削減という観点から、その組立て容易性の向上や組立て迅速性の向上が望まれている。
本出願人は、組立容器を容易、且つ迅速に組立てられるようにするという観点から、鋭意研究の結果、本考案に至ったものである。
【０００４】
そこで本考案は、組立容器を容易、且つ迅速に組立てられるようにすることを課題とし、この課題を解決した組立容器の提供を目的とする。
【課題を解決するための手段】
【０００５】
本考案が上記目的を達成するために採用した技術的手段は、少なくとも、方形の底板と、当該底板の一辺毎に一枚ずつ連結される側板とで構成される組立容器であり、
前記各側板には、前記底板が嵌合する嵌合溝が形成され、且つ前記底板の対向する二辺に連結される側板の両端部と、他の二辺に連結される側板の両端部とに亘って、側板と側板同士を連結する連結部が構成され、前記嵌合溝に底板を嵌合するとともに、側板同士を前記連結部により連結してなるものであって、
前記連結部は、前記底板の対向する二辺に連結される側板の両端部に形成されたスリット部と、他の二辺に連結される側板の両端部に形成された突起部とから構成され、前記スリット部に対して突起部を嵌合させることにより側板同士を連結する構造とし、
前記スリット部を、奥側端部を略円形状に形成した嵌合空間部とする一方、当該嵌合空間部の縁部から側板の端部までを、この嵌合空間部の径よりも幅狭とするスライド空間部として形成し、前記突起部を、先端部を前記嵌合空間部の径よりも大幅とする掛止面部とする一方、当該掛止面部の縁部から側板の端部までを、前記嵌合空間部の径と略同等幅とする嵌合面部として形成してなることを特徴とする組立容器にしたことである。
【考案の効果】
【０００６】
本考案の組立容器によれば、組立容器を容易、且つ迅速に組立てられるようにすることができる。
【考案を実施するための最良の形態】
【０００７】
以下、本考案の組立容器を実施するための最良の形態を図面に基づいて説明する。
本形態の組立容器Ａは、木材、合成樹脂材、厚紙材、発泡スチロール材等の形状を保持可能な素材から形成された底板１と、同じく木材、合成樹脂材、厚紙材、発泡スチロール材等の形状を保持可能な素材から形成され、前記底板１を囲むように立設された側枠２とから構成されている。
【０００８】
本形態の底板１は、平面視正方形状に形成されている。
本形態の側枠２は、前記底板１が嵌合する嵌合溝２１が形成された４枚の側板Ａ１,Ａ２と側板Ｂ１,Ｂ２とを連結して前記底板１を囲むような枠状に形成されている。
又、側板Ａ１,Ａ２と側板Ｂ１,Ｂ２との連結は、側板Ａ１,Ａ２の両端部と側板Ｂ１,Ｂ２の両端部とに亘って設けられた連結部３を介して連結されている。
側板Ａ１,Ａ２は、底板１の対向する二辺に連結され、側板Ｂ１,Ｂ２は、他の二辺に連結されている。
【０００９】
前記連結部３は、前記側板Ａ１,Ａ２の両端部に形成されたスリット部４と、前記側板Ｂ１，Ｂ２の両端部に形成された突起部５とから構成され、前記スリット部４に対して突起部５を嵌合させることにより側板Ａ１,Ａ２と側板Ｂ１,Ｂ２同士を連結する構造にされている。
【００１０】
連結部３を具体的に説明すると、前記スリット部４は、奥側端部を略円形状に形成した嵌合空間部４１とする一方、当該嵌合空間部４１の縁部から側板Ａ１,Ａ２の端部までを、この嵌合空間部４１の径よりも幅狭とするスライド空間部４２として形成されている。
又、前記突起部５は、先端部を前記嵌合空間部４１の径よりも大幅とする掛止面部５１とする一方、当該掛止面部５１の縁部から側板Ｂ１，Ｂ２の端部までを、前記嵌合空間部４１の径と同等幅とする嵌合面部５２として形成されている。
【００１１】
次に、本形態における組立容器Ａの組立方法を図４（ａ）〜図４（ｃ）に基づいて順次説明する。
第１工程：底板１の一辺を側板Ａ１の嵌合溝２１に嵌合するとともに、当該側板Ａ１と対向する底板１の一辺を側板Ａ２の嵌合溝２１に嵌合して側板Ａ１と側板Ａ２を立設する。（図４（ａ））
第２工程:側板Ａ１と側板Ａ２の一端部側に側板Ｂ１を、他端側に側板Ｂ２を、夫々連結部３を介して連結するとともに、底板１の一辺を側板Ｂ１の嵌合溝２１に、底板１の一辺を側板Ｂ２の嵌合溝２１に嵌合して側板Ｂ１と側板Ｂ２を立設する。（図４（ｂ）（ｃ））
この第１工程及び第２工程により、底板１と当該底板１を囲む側枠２とでなる組立容器１を構成することができる。
【００１２】
尚、本形態の組立方法では、第１工程で底板１に対して側板Ａ１,Ａ２を連結してから、第２工程で側板Ｂ１，Ｂ２を連結しているが、この組立方法以外にも、第１工程で側板Ａ１,Ａ２に対して側板Ｂ１を連結し、第２工程で側板Ａ１，Ａ２，Ｂ１に対して底板１を連結し、第３工程で側板Ｂ２を側板Ａ１，Ａ２に連結する組立方法も挙げられる（図示せず）。
【００１３】
前記第２工程をより具体的に説明すると、側板Ｂ１の側面Ｂ１１を底板１と平行状に寝かせ、この状態で側板Ｂ１の両端部に形成された突起部５を、側板Ａ１と側板Ａ２の一端部側に形成されたスリット部４に対してスリット空間部４２から挿し入れる。
そして、突起部５における嵌合面部５２がスリット部４における嵌合空間部４１にまで至ったら、側板Ｂ１をその嵌合溝２１に対して底板１が嵌合する方向に回動させる。
側板Ｂ１が回動し、前記底板１が嵌合溝２１に嵌合した状態になると、側板Ｂ１の側面Ｂ１１が底板１に対して直交方向に立設状態になるとともに、嵌合面部５２の縁部が嵌合空間部４１の周縁部に接触した立設状態となるため、嵌合面部５２のスリット空間部４２に対する抜け止めがされるとともに、側板Ａ１,Ａ２に対する側板Ｂ１のガタツキが防止される。
又、前記の嵌合部面５２の抜け止め状態では、掛止面部５２が嵌合空間部４１に対して掛止状態となるため、嵌合面部５２の嵌合空間部４１に対する軸方向への抜け止めがされる。
前記側板Ｂ２の連結方法は、側板Ｂ１の連結方法と同様の方法で側板Ａ１,Ａ２に連結することができる。
【００１４】
したがって、本形態の組立容器１は、側板Ａ１，Ａ２と側板Ｂ１，Ｂ２とがガタツキなく、且つ抜け止めされた状態で、迅速に連結されるとともに、当該側板Ａ１，Ａ２と側板Ｂ１，Ｂ２との連結と同時に底板１に対しても連結されるので、容易、且つ迅速に組立てられる構造の組立容器である。
そして、前記のように構成された組立容器１は、収容する収容物に応じて仕切り板を用いて適宜仕切ることも任意である（図示せず）。
【００１５】
尚、本考案は、例示した実施の形態に限定するものではなく、実用新案登録請求の範囲に記載された内容から逸脱することなく、他の構成による実施も可能である。
【図面の簡単な説明】
【００１６】
【図１】本考案に係る組立容器の一部切欠正面図。
【図２】本考案に係る組立容器の一部切欠平面図。
【図３】本考案に係る組立容器の分解図。
【図４】本考案に係る組立容器の組立方法であり、（ａ）は第1工程、（ｂ）（ｃ）は第2工程を示す。
【符号の説明】
【００１７】
Ａ：組立容器
１：底板
Ａ１：側板
Ａ２：側板
Ｂ１：側板
Ｂ２：側板
３：連結部
４：スリット部
５：突起部
４１：嵌合空間部
４２：スライド空間部
５１：掛止面部
５２：嵌合面部
【図１】
0003125637.tif 000003
【図２】
0003125637.tif 000004
【図３】
0003125637.tif 000005
【図４】
0003125637.tif 000006